(57)【要約】　　　（修正有）【課題】ディスクは簡単にその定位構造に定位され、そして定位構造から取り出されやすく、この定位構造を使用する時の摩擦消耗を軽減できるデイスクボックスを提供する。【解決手段】ディスクボックス５１のディスク定位構造５０であり、それはプラスチック原料を使ってボックス内に射出成型した固定ストッパー８０よりなり、その固定ストッパー８０の特徴は、上向きに隆起した拱き形をそのボックス内の中心に設置して、さらにその固定ストッパー８０の軸心が突起してボタンに形成されて、そのボタンはプレス面８４に成型されて、そのプレス面８４の周りの外方には嵌りアーム８６とが成型されて、その固定ストッパー８０の内縁に数個の嵌り隙間が回って位置してそのボタンと嵌り合っている。【選択図】　　図４
0003097231.tif 000002
【実用新案登録請求の範囲】
【請求項１】
一種のディスクボックス内におけるディスクの定位構造であって、
プラスチック原料をボックス内に射出して一体成型した固定ストッパーを含み、
前記固定ストッパーは上向きの隆起する円弧形態でそのボックス内の中心に設置され、
さらに固定ストッパーの軸心は突起して嵌りボタンを形成して、嵌りボタンがプレス面を形成し、
前記プレス面の周りから外方へ嵌めスペーサ及び嵌りアームを形成し、
各嵌めスペーサと嵌りアームとの間を隙間で区別し、同時に嵌めスペーサの上にそれぞれ隙間を形成し、
嵌りアーム上にそれぞれ突起粒とプレス面周りと隣接する円弧状に曲がる斜面を有し、
他に固定ストッパーの内縁が数個の嵌り隙間を回って形成し、
各嵌めスペーサの隙間はそれぞれが嵌めスペーサの上から延伸して嵌り隙間の中の予定嵌り隙間と繋がることを特徴とする、ディスクボックスのディスク定位構造。
【請求項２】
請求項１に記載のディスクボックスのディスク定位構造において、前記定位構造は更に置き部と四つ嵌り部があって固定ストッパーと組み合わせて、前記置き部はリング状に隆起してディスクボックス内に成型され、予定間隔で固定ストッパーの周りに回って設置されて、前記四つ嵌り部はそれぞれ凹の形態と互いに対応する位置関係によって置き部上に設置され、前記嵌り部上にそれぞれ円弧壁形態の受けシートが形成されていることを特徴とする、ディスクボックスのディスク定位構造。
【請求項３】
請求項２に記載のディスクボックスのディスク定位構造において、前記置き部の内縁は受け座を形成することを特徴とする、ディスクボックスのディスク定位構造。
【請求項４】
請求項１に記載のディスクボックスのディスク定位構造において、前記嵌り隙間はそれぞれ曲がり状であることを特徴とする、ディスクボックスのディスク定位構造。
【請求項５】
請求項１に記載のディスクボックスのディスク定位構造において、前記固定ストッパーの外縁に突起座を形成していることを特徴とする、ディスクボックスのディスク定位構造。
【考案の詳細な説明】
【０００１】
【考案の属する技術分野】
本考案は、一種のディスクボックスのディスク定位構造に関する。
【０００２】
【従来の技術およびその課題】
周知のディスク置きボックスは、通常、プラスチック原料で射出成型されたものである。図１に示すように、ディスクをボックス（１０）内に定位されて緩まないようにするため、そのボックス（１０）内の中心にリング状の固定構造（１１）を設置して、その固定構造（１１）の上に中心点を中心にして、外に数条の螺旋状力導きシート（１２）を均一に配置して、尚各力導きシート（１２）の間には条状の隙間を間隔させて、各力導きシート（１２）の外縁が下向いて小さい段が突起して二つの支えアーム（１３）と連結して、チャック溝（１４）が形成されて、その二つの支えアーム（１３）が更にそのボックス（１０）と繋がっている。
【０００３】
しかし、その従来の構造は使用上その固定構造（１１）が設置する力導きシート（１２）と支えアーム（１３）が形成する外形サイズがディスク定位穴の内径サイズと略等しいから、激しく揺れるとディスクが脱落しやすい。更に、この従来の構造の設計は仮にプレスする力がやや過大となると、力受け部位が凹まされてプラスチック原料の自身の弾性によって本来の構造へ回復することができなくなるので、構造上の問題が残る。
【０００４】
よって、現在、業者は前記一種のディスク定位構造を発展させて、図２に示すように、その構造は主にボックス（２０）が隆起して受け台（２１）に形成されて、その受け台（２１）の上に中心から外へスペーサ（２２）とアーム（２３）が形成されて、各スペーサ（２２）とアーム（２３）の間が隙間で区別されると同時に各スペーサ（２２）がそれぞれ延伸して一体になってディスク定位穴より小さいプレス面（２４）が構成されて、かつ各スペーサ（２２）とアーム（２３）にはそれぞれ傾斜面形態のスペーサ斜面（２５）と嵌り斜面（２６）が形成されて、そのスペーサ斜面（２５）と受け台（２１）の間にスペーサ定位面（２７）があって、その嵌り斜面（２６）とその受け台（２１）の間に嵌り定位面（２８）を設置して、それにその嵌り定位面（２８）の上に嵌り縁（２９）が形成されて、以上の構成によって前述した定位構造が有する課題を解決する。
【０００５】
但し、実際に使用すると、その受け台（２１）は特定のプラスチック材質で構成されて、使用者が指でその受け台（２１）をプレスしてディスクを取り出す時に、普通に大きい力が必要で、又はもう一つの手でディスク外縁を掴んでディスクを取り出さなければならない。従ってその受け台（２１）を押してディスクを取り出す時に、常にディスクが力受けの軽い又は力を受けないアーム（２３）の中に嵌られているので、ディスクがその嵌り定位面（２８）上の嵌り縁（２９）に係止されやすく取り出されにくい。同時に力を加えすぎると、スペーサ（２２）の破損又はディスクの破損を来たす恐れがある。
【０００６】
さらに、一部の業者が他のディスク定位構造（図３に示すように）を研究開発して、その構造は、ディスクボックス（３０）内にプラスチック原料で一体に成型する受け台（３１）が隆起して、またその受け台（３１）の上階層にある直径が受け台より小さい嵌り突起（３２）が突起して、その嵌り突起（３２）の頂点にプレス面（３３）が形成されて、その嵌り突起（３２）とその受け台（３１）の間に三つの隙間（３４）が開設されて、更に嵌りアーム（３５）が形成されて、またその受け台（３１）の上に弾性隙間（３６）が開設され、これによって、ディスクはその定位穴を使ってその嵌り突起（３２）に嵌られて、ディスクをその受け台（３１）の上に置くことができる。
【０００７】
但し、その従来の構造は実際に使用するとき、図２に示すような斜面構造に類似する構造がないため、操作上ディスクの定位穴は各嵌り縁と正確に嵌ることができず、操作者が合わせてから強引に押して嵌めなければならないので操作が順調とはならず、かつその嵌りアーム（３５）の断裂（即ちまだ完全に合わせてなくて強引に押して嵌ること）を来たす。しかも、その嵌り突起（３２）のプレス面（３３）を押してディスクを取り出す時に、その受け台（３１）の垂直角度の隆起によって開設している弾性隙間（３６）の設計は、常により大きい力でないと機能を発揮できない（即ちその嵌りアーム（３５）がやや内へ縮む動き）ので、そうすると、ディスクが受ける力が軽い又は力を受けず嵌りアーム（３５）に嵌られることが起こりやすくなる。ディスクがその嵌り縁に止められて取り出しにくい。同時に使用者が力を加えすぎる又は長時間の使用を経て、常にその嵌りアーム（３５）が断裂、消耗しやすく、又、ディスクの定位穴部位を損害するので、その従来の構造はディスクの嵌り定位の操作及び使用が不便となる。損害がもっと大きくて、即ちその構造が実際の状況に運用されるリスクと柔軟さとの配合にまだ改善の余地がある。
【０００８】
【考案の目的】
以上より、本考案の主な目的は、一種のディスクボックスのディスク定位構造を提供することによってディスクが適当かつ安定して嵌り定位されて、激しい揺れ又は振動によってディスクが脱落することがなく、それにディスクをその定位構造から取り出しやすくなる。
【０００９】
本考案のもう一つの目的は一種のディスクボックスのディスク定位構造を提供して有効にその定位構造を使用するときの摩擦消耗という状況を軽減し、さらに使用寿命を増進する。
【００１０】
【考案の実施の形態】
以下、本考案の詳しい構造、機能及び特徴を理解するために下記の実施例を挙げて図と合わせて説明する。
【００１１】
先ず、図４と図５を参照して、本考案の一実施例が提供するディスクボックスのディスク定位構造（５０）について説明する。ディスクボックスのディスク定位構造（５０）は、プラスチック原料を使ってボックス（５１）内に射出、一体成型される、置き部（６０）、四つの嵌り部（７０）及び固定ストッパー（８０）を含む。その中の置き部（６０）はボックス（５１）内でリング状に隆起し、置き部（６０）の内縁が受け座（６１）を形成している。
【００１２】
前記四つの嵌り部（７０）は、それぞれ凹の形態及び対応の関連位置で置き部（６０）に設置されて、またその嵌り部（７０）上にそれぞれ円弧壁状の受けシート（７１）が形成されている。
【００１３】
前記固定ストッパー（８０）は、上向きに隆起した円弧状形態で前記置き部（６０）の中心に設置されて、その外縁に突起座（８１）が形成されて、それに内縁に数個曲がる嵌り隙間（８２）が回って開設されて、固定ストッパー（８０）の軸心に嵌りボタン（８３）が突起して形成されている。前記嵌りボタン（８３）の中心にプレス面（８４）が成型されて、そしてそのプレス面（８４）の周縁が外側に嵌めスペーサ（８５）と嵌りアーム（８６）とが形成されて、各嵌めスペーサ（８５）と嵌りアーム（８６）の間を隙間で（８７）区別して、同時にその嵌めスペーサ（８５）上にそれぞれ隙間（８５１）が成型され、また、各嵌めスペーサ（８５）のその隙間（８５１）はそれぞれその嵌めスペーサ（８５）上から延伸してその嵌り隙間（８２）の中の予定嵌り隙間（８２）と繋がって、他にその嵌りアーム（８６）上にそれぞれ突起状の突起粒（８８）とそのプレス面（８４）周りと隣接する円弧状傾斜面の斜面（８６１）が形成されている。
【００１４】
以上は本考案の実施例が提供するディスクボックス内ディスクの定位構造であって、各部位の間における連結関係と関連位置の説明である。続いてその作動状況について詳しく説明する。
【００１５】
順序に図６と図７を参照する。使用者が本考案の構造を操作してディスク放置定位を遂げる時、先にディスク（９０）の定位穴（９１）をその固定ストッパー（８０）の嵌りボタン（８３）に嵌めてから、力をやや加えてプレスする。この際、前記嵌りボタン（８３）の構造が各嵌めスペーサ（８５）と嵌りアーム（８６）との間を隙間（８７）で区別する設計であって、プレスの瞬間にその嵌りボタン（８３）の外径が収縮してディスク（９０）の定位穴（９１）より小さい穴径となって、前記嵌りボタン（８３）の嵌りアーム（８６）上にそのプレス面（８４）周りと隣接する円弧状曲がり傾斜状斜面（８６１）が形成してあるので前記ディスク（９０）が嵌ってからその定位穴（９１）が斜面（８６１）に沿って嵌りアーム（８６）の突起粒（８８）の下まで移動して（即ちそのディスク（９０）定位穴（９１）と嵌りボタン（８３）と嵌る過程の中に、ディスク（９０）定位穴（９１）は斜面（８６１）によって的確に下へ移動して嵌る。また、摩擦消耗の状況を軽減させる）、そしてその嵌りアーム（８６）が力受けの解除によって元の状態へと回復されて、その嵌りボタン（８３）はそのディスク（９０）を嵌りアーム（８６）の突起粒（８８）に嵌めて、さらにディスク（９０）を置き部（６０）へ置かれることができる。ディスク（９０）は、固定ストッパー（８０）の突起座（８１）及び置き部（６０）の受け座（６１）上に置かれる。同時に四つ嵌り部（７０）の各受けシート（７１）も定位を補助する効果を提供する。よって、ディスク（９０）は定位構造（５０）と容易かつ的確に嵌りあって、そして適当に嵌り定位を安定させて、また、激しい揺れ又は振動でディスク（９０）の脱落が起きない。
【００１６】
また、図８と図９を参考してディスク（９０）の取り出しについて説明する。ディスク（９０）を取り出したい時に、使用者が例えば人差し指で嵌りボタン（８３）のプレス面（８４）をプレスする。この時固定ストッパー（８０）は嵌りボタン（８３）の各嵌めスペーサ（８５）と嵌りアーム（８６）との間の隙間で区別する設計であって、同時に嵌めスペーサ（８５）の隙間（８５１）はそれぞれ嵌めスペーサ（８５）上から延伸して嵌り隙間（８２）中の予定嵌り隙間（８２）と繋がっているので、操作者は僅かな力で嵌りボタン（８３）のプレス面（８４）をプレスするだけで固定ストッパー（８０）が力を受けて内方へ縮小して下へ落ちる。同時に嵌りアーム（８６）が内側と下へやや収縮することを促進させて、嵌りボタン（８３）の外径が収容したディスク（９０）の定位穴（９１）の穴径より小さくなり、嵌りアーム（８６）の突起粒（８８）とディスク（９０）の定位穴（９１）の周りが抜けて、突起粒（８８）の摩擦消耗を軽減させる。同時に四つ嵌り部（７０）は、それぞれ凹の形態と対応の関連位置によって置き部に設置するので、使用者が同じ手の親指と真ん中指でディスク（９０）の外縁を掴んでディスク（９０）を簡単に取り出すことができる。
【００１７】
この他に説明すべきなのは、本考案のディスクボックスのディスク定位構造（５０）における固定ストッパー（８０）が回り部位に数個の曲がる嵌り隙間（８２）を回って開設する設計は、その製作する過程の中で、必要に応じて金型で数量を増設又は減少できて、固定ストッパー（８０）が使用されるときにの必要弾性の設計構造を調整することができる。これにより、本考案の構造設計をさらに市場のニーズと合わせることができ、更に市場における競争量を増加させることができる。
【００１８】
【考案の効果】
以上の事項を総括すると、本考案が提供するディスクボックスのディスク定位構造は、確実かつ簡単にディスクをディスクボックスに嵌めて固定、定位させる定位構造を適当に安定させることができる。それに激しい揺れ又は振動が原因でディスクの脱落が起こらず、又、ディスクを定位構造から簡単に取り出させて、有効にその構造が使用するときの摩擦、消耗を軽減させて、寿命を延長させることができる。
【図面の簡単な説明】
【図１】従来のディスクボックスのディスク定位構造の立体図である。
【図２】もう一つのディスクボックスのディスク定位構造の立体図である。
【図３】さらに他の従来のディスクボックスのディスク定位構造の立体図である。
【図４】本考案のディスクボックスのディスク定位構造の立体図である。
【図５】本考案のディスクボックスのディスク定位構造の一部構造における立体概略図である。
【図６】本発明のディスクボックスのディスク定位構造の使用状態概略図である。
【図７】本発明のディスクボックスのディスク定位構造の使用状態概略図である。
【図８】本発明のディスクボックスのディスク定位構造の使用状態概略図である。
【図９】本発明のディスクボックスのディスク定位構造の使用状態概略図である。
【符号の説明】
１０　　　ボックス
１１　　　固定構造
１２　　　力導きシート
１３　　　支えアーム
１４　　　嵌り溝
２０　　　ボックス
２１　　　受け台
２２　　　スペーサ
２３　　　アーム
２５　　　スペーサ斜面
２６　　　嵌り斜面
２７　　　スペーサ定位面
２８　　　嵌り定位面
２９　　　嵌り縁
３０　　　ディスクボックス
３１　　　受け台
３２　　　嵌り突起
３３　　　プレス面
３４　　　条状隙間
３５　　　嵌りアーム
３６　　　弾性隙間
５０　　　定位構造
５１　　　ディスクボックス
６０　　　置き部
６１　　　受け座
７０　　　嵌り部
７１　　　受けシート
８０　　　固定ストッパー
８１　　　突起座
８２　　　嵌り隙間
８３　　　嵌りボタン
８４　　　プレス面
８５　　　嵌めスペーサ
８５１　　隙間
８６　　　嵌りアーム
８６１　　斜面
８７　　　隙間
８８　　　突起粒
９０　　　ディスク
【図１】
0003097231.tif 000003
【図２】
0003097231.tif 000004
【図３】
0003097231.tif 000005
【図４】
0003097231.tif 000006
【図５】
0003097231.tif 000007
【図６】
0003097231.tif 000008
【図７】
0003097231.tif 000009
【図８】
0003097231.tif 000010
【図９】
0003097231.tif 000011